(57)【要約】【課題】データ駆動回路のチャンネル出力数による画素信号極性の不均一による画質不良を防止することができるようにした液晶表示装置の駆動装置および駆動方法を提供する。【解決手段】複数の入力チャンネルを有する液晶表示素子と、極性信号による極性パターンを有するビデオ信号を発生し複数の出力チャンネルを通じて前記液晶表示素子の入力チャンネルに前記ビデオ信号を供給する複数のデータ駆動回路と、前記極性信号を発生するタイミング制御部と、前記データ駆動回路各々の出力チャンネル数に対応する第１選択信号と前記極性パターンの繰返し周期に対応する第２選択信号を基にして前記極性信号を制御し該極性信号を前記データ駆動回路に供給する極性制御部を備える。【選択図】図６
2005338858.tif 000002
【特許請求の範囲】
【請求項１】
複数の入力チャンネルを有する液晶表示素子と、
極性信号による極性パターンを有するビデオ信号を発生し複数の出力チャンネルを通じて前記液晶表示素子の入力チャンネルに前記ビデオ信号を供給する複数のデータ駆動回路と、
前記極性信号を発生するタイミング制御部と、
前記データ駆動回路各々の出力チャンネル数に対応する第１選択信号と前記極性パターンの繰返し周期に対応する第２選択信号を基にして前記極性信号を制御し該極性信号を前記データ駆動回路に供給する極性制御部と
を備える液晶表示装置の駆動装置。
【請求項２】
前記極性制御部は、前記第１および第２選択信号を基にして前記極性信号を発生するデコーダーと、該デコーダーか前記極性信号を受けて非反転された極性信号および反転された極性信号のうち少なくともいずれか一つで前記極性信号を切り換えて前記データ−駆動回路に供給する極性分配器とを備える
ことを特徴とする請求項１記載の液晶表示装置の駆動装置。
【請求項３】
前記極性分配器は、前記非反転された極性信号と前記反転された極性信号のうちいずれか一つを前記複数のデータ駆動回路のうち奇数番目のデータ駆動回路に供給し、前記非反転された極性信号と前記反転された極性信号のうちいずれか一つを前記複数のデータ駆動回路のうち偶数番目のデータ駆動回路に供給する
ことを特徴とする請求項２記載の液晶表示装置の駆動装置。
【請求項４】
前記極性制御部は、前記第１選択信号が入力される第１入力端子と、前記第２選択信号が入力される第２入力端子と、前記極性信号が供給される第３入力端子とを備える
ことを特徴とする請求項１記載の液晶表示装置の駆動装置。
【請求項５】
前記極性パターンは、前記液晶表示素子の水平および垂直方向へ一つの液晶セル単位で交番される第１極性パターンと、前記液晶表示素子の水平方向には二つの液晶セル単位で交番されると共に前記液晶表示素子の垂直方向には一つの液晶セル単位で交番される第２極性パターンと、前記液晶表示素子の水平および垂直方向へ二つのの液晶セル単位で交番される第３極性パターンとのうち少なくともいずれか一つである
ことを特徴とする請求項１記載の液晶表示装置の駆動装置。
【請求項６】
複数の入力チャンネルを有する液晶表示素子と、
極性信号による極性パターンを有するビデオ信号を発生し複数の出力チャンネルを通じて前記液晶表示素子の入力チャンネルに前記ビデオ信号を供給する複数のデータ駆動回路と、
前記極性信号を制御する論理信号を生成する論理信号生成部と、
該論理信号によって前記極性信号を切り換えて前記データ駆動回路に供給する極性制御部と
を備え、
前記極性信号は、前記データ駆動回路各々の出力チャンネル数に対応する第１選択信号と前記極性パターンの繰返し周期に対応する第２選択信号を基にする
ことを特徴とする液晶表示装置の駆動装置。
【請求項７】
前記論理信号は、前記駆動信号を非反転させる第１論理信号と、前記極性信号を反転させる第２論理信号を含む
ことを特徴とする請求項６記載の液晶表示装置の駆動装置。
【請求項８】
前記極性制御部は、前記第１論理信号を前記データ駆動回路のうち奇数番目のデータ駆動回路に供給し、前記第２論理信号を前記データ駆動回路のうち偶数番目のデータ駆動回路に供給する
ことを特徴とする請求項７記載の液晶表示装置の駆動装置。
【請求項９】
前記極性制御部は、前記第１選択信号が入力される第１入力端子と、前記第２選択信号が入力される第２入力端子と、前記極性信号が供給される第３入力端子と、前記論理信号が供給される第４入力端子とを備える
ことを特徴とする請求項６記載の液晶表示装置の駆動装置。
【請求項１０】
前記極性パターンは、前記液晶パネルの水平および垂直方向へ一つの液晶セル単位で交番される第１極性パターンと、前記液晶パネルの水平方向には二つの液晶セル単位で交番されると共に前記液晶パネルの垂直方向には一つの液晶セル単位で交番される第２極性パターンと、前記液晶パネルの水平および垂直方向には二つの液晶セル単位で交番される第３極性パターンのうち少なくともいずれか一つである
ことを特徴とする請求項６記載の液晶表示装置の駆動装置。
【請求項１１】
マトリックス状に配置されてビデオ信号を表示する液晶セルを含む液晶表示素子、前記ビデオ信号の極性パターンを発生し前記極性パターンを複数の出力チャンネルを通じて前記液晶セルに供給する複数のデータ駆動回路、および前記データ駆動回路を制御するタイミング制御部を備える液晶表示装置の駆動方法において、
前記極性パターンの繰返し周期と前記データ駆動回路各々の出力チャンネル数を基にする極性信号を発生する段階と、
前記タイミング制御部に内蔵された極性制御部を利用して前記出力チャンネル数によって前記極性信号を制御して前記極性信号によって前記ビデオ信号の前記極性パターンを発生する段階と
を含むことを特徴とする液晶表示装置の駆動方法。
【請求項１２】
前記極性パターンを発生する段階は、
前記液晶表示素子の水平および垂直方向へ一つの液晶セル単位で正極性および負極性が交番される第１極性パターンを発生する段階と、前記液晶表示素子の水平方向には二つの液晶セル単位で交番されると共に前記液晶表示素子の垂直方向には一つの液晶セル単位で正極性および負極性が交番される第２極性パターンを発生する段階と、前記液晶表示素子の水平および垂直方向には二つの液晶セル単位で正極性および負極性が交番される第３極性パターンを発生する段階とのうち少なくとも一つの段階を含む
ことを特徴とする請求項１１記載の液晶表示装置の駆動方法。
【請求項１３】
前記極性信号を発生する段階は、
前記出力チャンネル数に対応する第１論理状態および第１論理状態と異なる状態を有する第２論理状態のうち少なくともいずれか一つである前記第１選択信号を発生する段階と、前記第１乃至第３極性パターンに対応する第１論理状態の前記第２選択信号を発生する段階と、前記第１論理状態と異なる極性パターンに対応する第２論理状態の前記第２選択信号を発生する段階とを含む
ことを特徴とする請求項１２記載の液晶表示装置の駆動方法。
【請求項１４】
前記タイミング制御部に内蔵された極性制御部を利用して前記出力チャンネル数によって前記極性信号を制御して前記極性信号により前記ビデオ信号の前記極性パターンを発生す段階は、
デコーダーを利用して前記第１および第２選択信号を基にして前記極性信号を第１論理状態の極性信号および第１論理状態に反転された第２論理状態の極性信号のうちいずれか一つを発生する段階と、極性分配器を利用して前記第１論理信号を前記複数のデータ駆動回路のうち奇数番目のデータ駆動回路に供給し、前記第１および第２論理状態の極性信号のうち少なくとも一つを偶数番目のデータ駆動回路に供給する段階とを含む
ことを特徴とする請求項１３記載の液晶表示装置の駆動方法。
【請求項１５】
マトリックス状に配置されてビデオ信号を表示する液晶セルを含む液晶表示素子、前記ビデオ信号の極性パターンを発生し前記極性パターンを複数の出力チャンネルを通じて前記液晶セルに供給する複数のデータ駆動回路を備える液晶表示装置の駆動方法において、
前記出力チャンネル数および前記極性パターンの繰返し周期を基にして極性信号を発生する段階と、
第１論理信号および第１論理信号と異なる第２論理信号のうちいずれか一つを発生する段階と、
前記データ駆動回路各々に含まれた極性制御部を利用して前記出力チャンネル数によって前記極性信号を前記第１および第２論理信号により制御する段階と、
前記極性制御部から供給される前記極性信号によって前記極性パターンを発生する段階と
を含むことを特徴とする液晶表示装置の駆動方法。
【請求項１６】
前記極性パターンを発生する段階は、
前記液晶表示素子の水平および垂直方向へ一つの液晶セル単位で正極性および負極性が交番される第１極性パターンを発生する段階と、前記液晶表示素子の水平方向には二つの液晶セル単位で交番されると共に前記液晶表示素子の垂直方向には一つの液晶セル単位で正極性および負極性が交番される第２極性パターンを発生する段階と、前記液晶表示素子の水平および垂直方向には二つの液晶セル単位で正極性および負極性が交番される第３極性パターンを発生する段階のうち一つの段階とを含む
ことを特徴とする請求項１５記載の液晶表示装置の駆動方法。
【請求項１７】
前記出力チャンネル数および前記極性パターンの繰返し周期を基にして極性信号を発生する段階は、
前記第１論理状態および前記第２論理状態のうち少なくともいずれか一つである前記第１選択信号を発生する段階と、前記第１乃至第３極性パターンに対応する第１論理状態の前記第２選択信号を発生する段階と、前記第１論理状態と互いに異なる第２論理状態の前記第２選択信号を発生する段階とを含む
ことを特徴とする請求項１６記載の液晶表示装置の駆動方法。
【請求項１８】
前記第１論理信号および第２論理信号のうちいずれか一つを発生する段階は、
前記第１選択信号と第２選択信号を基にして前記複数個のデータ駆動回路のうち奇数番目のデータ駆動回路に第１論理信号を供給し、偶数番目のデータ駆動回路に第１論理信号および第２論理信号のうち少なくとも一つを供給する段階を含む
ことを特徴とする請求項１７記載の液晶表示装置の駆動方法。
【請求項１９】
前記データ駆動回路に含まれた極性制御部を利用して前記出力チャンネル数によって前記第１および第２選択信号を基にして発生する極性信号を前記第１および第２論理信号により制御する段階は、
前記データ駆動回路の極性信号を前記第１論理信号に対応する極性信号と決定する段階と、前記データ駆動回路の極性信号を前記第２論理信号に対応させて前記第１論理信号に対応する極性信号と比較して反転された極性信号と決定する段階とのうちいずれか一つの段階を含む
ことを特徴とする請求項１８記載の液晶表示装置の駆動方法。
【発明の詳細な説明】
【技術分野】
【０００１】
本発明は液晶表示装置に関し、特にデータ駆動回路のチャンネル出力数による画素信号の極性の不均一による画質不良を防止し得るようにした液晶表示装置の駆動装置および駆動方法に関する。
【背景技術】
【０００２】
通常の液晶表示素子は、電界を利用して液晶の光透過率を調節することにより画像を表示する。このため、液晶表示装置は液晶セルがアクティブマトリックス状に配列された液晶パネルと、この液晶パネルを駆動するための駆動回路を備えている。
【０００３】
液晶表示装置は、図１に図示されるように、画素信号の極性パターンによって画像を表示する液晶パネル６と、該液晶パネル６のデータラインを駆動するためのデータＤ−ＩＣ(Drive Integrated Circuit)が実装されたデータＴＣＰ(TapeCarrier Package)８と、液晶パネル６のゲートラインを駆動するためのゲートＤ−ＩＣ１２が実装されたゲートＴＣＰ４と、データＤ−ＩＣ１０およびゲートＤ−ＩＣ１２の駆動を制御するためのタイミング制御部３０を備えている。
【０００４】
液晶パネル６は、上部基板５および下部基板３の間に充填された液晶層と、上部基板５と下部基板３との間の間隔を一定に維持するためのスペーサーを備えている。
【０００５】
このような液晶パネル６の上部基板５には、カラーフィルター、共通電極、ブラックマトリックスなどが形成されている。ここで、共通電極は、液晶パネル６の液晶層モードによって下部基板３に形成することができる。
【０００６】
また、液晶パネル６の下部基板３には、ゲートラインとデータラインの交差部毎に形成された薄膜トランジスターと、該薄膜トランジスターに接続された液晶セルを備えている。薄膜トランジスターのゲート電極は、水平ラインのゲートラインのうちいずれか一つと接続され、ソース電極は、垂直ラインのデータラインのうちいずれか一つと接続される。
【０００７】
このような薄膜トランジスターは、ゲートラインかのスキャン信号に応答してデータラインからの画素信号を液晶セルに供給する。液晶セルは、薄膜トランジスターのドレイン電極と接続された画素電極と、その画素電極と液晶層を間に置き対向する共通電極を備えている。
【０００８】
このような液晶セルは、画素電極に供給される画素信号に応答して液晶層を駆動することにより光透過率を調節するようになる。
【０００９】
このような液晶パネル６上の液晶セルを駆動するためにフレームインバージョン方式(Frame Inversion System)、ラインインバージョン方式(Line Inversion System)およびドットインバージョン方式(Dot Inversion System)のようなインバージョン駆動方法が用いられる。
【００１０】
フレームインバージョン方式の駆動方法は、フレームが変更されるとき毎に液晶パネル６上の液晶セルに供給される画素信号の極性を反転させる。ラインインバージョン方式の駆動方法では、液晶パネル６上のライン(コラム)によって液晶セルに供給される画素信号の極性を反転させる。ラインインバージョン方式の駆動方法では、液晶パネル６上のライン(コラム)によって液晶セルに供給される画素信号の極性を反転させる。ドットインバージョン方式は、液晶パネル６上の液晶セル各々に垂直および水平方向側で隣接する液晶セルに供給される画素信号の極性と相反する極性の画素電圧信号が供給されるようにすると共にフレーム毎に液晶パネル６上の全ての液晶セルに供給される画素信号の極性が反転されるようにする。
【００１１】
このようなインバージョン駆動方法のうちドットインバージョン方式は、フレームおよびラインインバージョン方式に比べて優れた画質の画像を提供する。このようなインバージョン方式の駆動は、タイミング制御部３０からデータＤ−ＩＣ１０の各々に供給される極性信号ＰＯＬによってデータＤ−ＩＣ１０が応答して行われる。
【００１２】
通常、液晶表示装置は、６０Ｈｚのフレーム周波数により駆動されるのが一般的である。しかし、ノートブックコンピューターのように低消費電力を必要とするシステムではフレーム周波数を５０〜３０Ｈｚに低めるのが要求される。フレーム周波数が低まるに従ってインバージョン方式のうち、優れた画質を提供するドットインバージョン方式でもグリーニッシュ(Greenish)現象が発生するようになることにより、水平２ドットインバージョン方式およびスクエア(Square)インバージョン方式の駆動方法が提案されている。
【００１３】
水平２ドットインバージョン方式は、画素信号の極性が垂直方向には１ドット単位で替わる反面、水平方向には２ドット単位で替わるように駆動されると共に、フレーム毎に液晶パネル６上の全ての液晶セルに供給される画素信号の極性が反転される。スクエアインバージョン方式は、画素信号の極性が垂直方向には２ドット単位で替わり、水平方向もまた２ドット単位で替わるように駆動されると共に、フレーム毎に液晶パネル６上の全ての液晶セルに供給される画素信号の極性が反転される。
【００１４】
このようなインバージョン方式のうち、１ドットインバージョン方式の場合、液晶セルに供給される水平方向への画素信号の極性は水平方向へ２液晶セル単位で繰り返えられる。反面、水平２ドットインバージョン方式の場合、液晶セルに供給される画素信号の極性は水平方向へ４液晶セル単位で繰り返えられ、スクエアインバージョン方式の場合、液晶セルに供給される画素信号の極性は垂直および水平方向へ４液晶セル単位で繰り返えられる。
【００１５】
タイミング制御部３０は、ゲートＤ−ＩＣ４の駆動を制御するゲート制御信号(ＧＳＰ、ＧＳＣ、ＳＯＥ信号など)を発生し、データＤ−ＩＣ１０の駆動を制御するデータ制御信号(ＳＳＰ，ＳＳＣ，ＳＯＥ，ＰＯＬ信号など)を発生する。また、タイミング制御部３０は、システムから供給されるデータ信号を液晶パネル６の駆動に適合するように整列して複数のデータＤ−ＩＣ１０に供給する。
【００１６】
このようなタイミング制御部３０は、データ印刷回路基板２０上に実装される。データ印刷回路基板２０は、ユーザーコネクターを通じて外部のシステムに接続される。このようなデータ印刷回路基板２０上には、タイミング制御部３０からの各種制御信号およびデータ信号をデータＤ−ＩＣ１０およびゲートＤ−ＩＣ１２の各々に供給するための各種信号配線が形成される。
【００１７】
ゲートＤ−ＩＣ１２の各々は、ゲートＴＣＰ４各々に実装される。ゲートＴＣＰ４に実装されたゲートＤ−ＩＣ１２は、ゲートＴＣＰ４を通じて液晶パネル６のゲートパッドと電気的に接続される。このようなゲートＤ−ＩＣ１２は、液晶パネル６のゲートラインを１水平期間１Ｈ単位で順次駆動するようになる。この際、ゲートＴＣＰ４は、ゲート印刷回路基板２６に接続される。ゲート印刷回路基板２６は、データ印刷回路基板２０を経由してタイミング制御部３０から供給されるゲート制御信号をゲートＴＣＰ４を通じてゲートＤ−ＩＣ１２に供給するようになる。
【００１８】
データＤ−ＩＣ１０の各々は、データＴＣＰ８各々に実装される。データＴＣＰ８に実装されたデータＤ−ＩＣ１０は、データＴＣＰ８を通じて液晶パネル６のデータパッドと電気的に接続される。このようなデータＤ−ＩＣ１０は、デジタル画素データをアナログ画素信号に切り換えて１水平期間１Ｈ単位で液晶パネル６のデータラインに供給する。
【００１９】
このような一般的な液晶表示装置の駆動装置は、液晶パネル６に供給される画素信号の極性パターンのインバージョン方式とデータＤ−ＩＣ１０の出力チャンネル数によって画素信号の極性の繰返し周期が均一であるか不均一になる。
【００２０】
具体的に、偶数個の出力チャンネルを有するデータＤ−ＩＣ１０は、データＤ−ＩＣ１０の出力チャンネル数に関わらず画素信号の極性を１ドットインバージョン方式の極性パターンを有するように出力することができる。即ち、図２に図示されるように、４の倍数である３８４個の出力チャンネルＣｈ１〜Ｃｈ３８４を有するデータＤ−ＩＣ１０を利用して１ドットインバージョン方式の極性パターンを有する画素信号を液晶パネル６に供給する場合、奇数番目ＯｄｄデータＤ−ＩＣ１０の最後の出力チャンネルＣｈ３８４と偶数番目ＥｖｅｎデータＤ−ＩＣ１０の１番目出力チャンネルＣｈ１間の画素信号の極性は同一でなく反転するようになる。即ち、奇数番目データＤ−ＩＣ１０の最後の出力チャンネル３８４から出力される画素信号の極性は“−”であり、偶数番目データＤ−ＩＣ１０の１番目の出力チャンネルＣｈ１から出力される画素信号の極性は“＋”になる。
【００２１】
また、４の倍数でない２の倍数である１４個の出力チャンネルＣｈ１〜Ｃｈ４１４を有するデータＤ−ＩＣ１０を利用して１ドットインバージョン方式の極性パターンを有する画素信号を液晶パネル６に供給する場合、奇数番目データＤ−ＩＣ１０の最後の出力チャンネルＣｈ３８４と偶数番目データＤ−ＩＣ１０の１番目の出力チャンネルＣｈ１間の画素信号の極性は同一でなく反転するようになる。従って、２の倍数である出力チャンネルを有するデータＤ−ＩＣ１０を利用した１ドットインバージョン方式による液晶パネル６の駆動方法は、データＤ−ＩＣ１０の出力チャンネル数に関わらず正確な１ドットインバージョン方式の極性パターンを有するように駆動される。
【００２２】
一方、図３に図示されるように、４の倍数である３８４個の出力チャンネルＣｈ１〜Ｃｈ３８４を有するデータＤ−ＩＣ１０を利用して水平２ドットインバージョン方式の極性パターンを有する画素信号を液晶パネル６に供給する場合、奇数番目データＤ−ＩＣ１０の最後の２個の出力チャンネルＣｈ３８３，Ｃｈ３８４と偶数番目のデータＤ−ＩＣ１０の第１および第２出力チャンネルＣｈ１，Ｃｈ２間の画素信号の極性は同一でなく反転するようになる。即ち、奇数番目データＤ−ＩＣ１０の最後の２個の出力チャンネルＣｈ３８３，Ｃｈ９３８４から出力される画素信号の極性は“−−”であり、偶数番目データＤ−ＩＣ１０の第１および第２出力チャンネルＣｈ１，Ｃｈ２から出力される画素信号の極性は“＋＋”になる。従って、４の倍数である出力チャンネルを有するデータＤ−ＩＣ１０を利用した水平２ドットインバージョン方式による液晶パネル６の駆動方法は、データＤ−ＩＣ１０の出力チャンネル数に関わらず正確な水平２ドットインバージョン方式の極性パターンを有するように駆動される。
【００２３】
反面、図４に図示されるように、４の倍数でない２の倍数である１４個の出力チャンネルＣｈ１〜Ｃｈ４１４を有するデータＤ−ＩＣ１０を利用して水平２ドットインバージョン方式の極性パターンを有する画素信号を液晶パネル６に供給する場合、奇数番目データＤ−ＩＣ１０の最後の２個の出力チャンネルＣｈ４１３，Ｃｈ４１４と偶数番目データＤ−ＩＣの第１および第２出力チャンネルＣｈ１，Ｃｈ２間の画素信号の極性は同一になる。具体的に、２の倍数である出力チャンネルを有するデータＤ−ＩＣ１０の第１および第２チャンネルＣｈ１，Ｃｈ２から出力される画素信号の極性が“＋＋”で始まる場合に、奇数番目データＤ−ＩＣ１０および偶数番目データＤ−ＩＣ１０各々の第１および第２出力チャンネルＣｈ１，Ｃｈ２から出力される画素信号の極性は“＋＋”で始まるようになる。
【００２４】
これに因り、奇数番目データＤ−ＩＣ１０の最後の２個の出力チャンネルＣｈ４１３，Ｃｈ４１４から出力される画素信号の極性は“＋＋”であり、偶数番目データＤ−ＩＣ１０の第１および第２出力チャンネルＣｈ１、Ｃｈ２から出力される画素信号の極性は“＋＋”になる。これによって、２の倍数である出力チャンネルを有するデータＤ−ＩＣ１０を利用して液晶パネル６を水平２ドットインバージョン方式で駆動する場合には、隣接したデータＤ−ＩＣ１０間の隣接領域である４個の液晶セルに同一の画素信号の極性が供給されるようになる。
【００２５】
従って、図４に図示されるように、データＤ−ＩＣ１０の出力チャンネル数が２の倍数であるが４の倍数でない場合に、一般的な水平２ドットインバージョン方式を利用した液晶表示装置の駆動装置では、隣接したデータＤ−ＩＣ１０間の境部Ａで画素信号の極性の繰返し周期が均一でないため縦線のような画質の不良が発生するようになる。
【００２６】
一方、図５に図示されるように、４の倍数でない２の倍数である１４個の出力チャンネルＣｈ１〜Ｃｈ４１４を有するデータＤ−ＩＣ１０を利用してスクエアインバージョン方式の極性パターンを有する画素信号を液晶パネル６に供給する場合、ｊ番目(但し、ｊは正の整数)とｊ＋１番目水平ラインの奇数番目データＤ−ＩＣ１０の最後の２個の出力チャンネルＣｈ４１３，Ｃｈ４１４と偶数番目データＤ−ＩＣ１０の第１および第２出力チャンネルＣｈ１，Ｃｈ２間の画素信号の極性は同一になる。具体的に、２の倍数である出力チャンネルを有するデータＤ−ＩＣ１０の第１および第２出力チャンネルＣｈ１，Ｃｈ２から出力される画素信号の極性が“＋＋”で始まる場合に、ｊ番目とｊ＋１番目の水平ライン各々の奇数番目データＤ−ＩＣおよび偶数番目データＤ−ＩＣ１０各々の第１および第２出力チャンネルＣｈ１，Ｃｈ２から出力される画素信号の極性は“＋＋”で始まるようになる。
【００２７】
これに因り、ｊ番目とｊ＋１番目水平ライン各々の奇数番目データＤ−ＩＣ１０の最後の２個の出力チャンネルＣｈ４１３，Ｃｈ４１４から出力される画素信号の極性は“＋＋”であり、ｊ番目とｊ＋１番目水平ライン各々の偶数番目データＤ−ＩＣ１０の第１および第２出力チャンネルＣｈ１，Ｃｈ２から出力される画素信号の極性は“＋＋”になる。これによって、２の倍数であるが４の倍数でない出力チャンネルを有するデータＤ−ＩＣ１０を利用して液晶パネル６をスクエアインバージョン方式で駆動する場合には、隣接したデータＤ−ＩＣ１０間の隣接領域である８個の液晶セルに同一の画素信号の極性が供給されるようになる。
【００２８】
従って、図５に図示されるように、データＤ−ＩＣ１０の出力チャンネル数が４の倍数でない場合に、一般的なスクエアインバージョン方式を利用した液晶表示装置の駆動装置では、隣接したデータＤ−ＩＣ１０間の境部Ａで画素信号の極性の繰返し周期が均一でないため、縦線のような画質の不良が発生するようになる。
【発明の開示】
【発明が解決しようとする課題】
【００２９】
従って、本発明の目的はデータ駆動回路のチャンネル出力数による画素信号極性の不均一による画質不良を防止し得るようにした液晶表示装置の駆動装置および駆動方法を提供することにある。
【課題を解決するための手段】
【００３０】
前記目的を達成するために、本発明による液晶表示装置の駆動装置は、複数の入力チャンネルを有する液晶表示素子と、極性信号による極性パターンを有するビデオ信号を発生し、複数の出力チャンネルを通じて前記液晶表示素子の入力チャンネルに前記ビデオ信号を供給する複数のデータ駆動回路と、前記極性信号を発生するタイミング制御部と、前記データ駆動回路各々の出力チャンネル数に対応する第１選択信号と前記極性パターンの繰返し周期に対応する第２選択信号を基にして前記極性信号を制御し、前記極性信号を前記データ駆動回路に供給する極性制御部とを備えている。
【００３１】
また、本発明による液晶表示装置の駆動装置は、複数の入力チャンネルを有する液晶表示素子と、極性信号による極性パターンを有するビデオ信号を発生し、複数の出力チャンネルを通じて前記液晶表示素子の入力チャンネルに前記ビデオ信号を供給する複数のデータ駆動回路と、前記極性信号を制御する論理信号を生成する論理信号生成部と、前記論理信号によって前記極性信号を切り換えて前記データ駆動回路に供給する極性制御部を備え、前記極性信号は、前記データ駆動回路各々の出力チャンネル数に対応する第１選択信号と前記極性パターンの繰返し周期に対応する第２選択信号を基にする。
【００３２】
また、本発明による液晶表示装置の駆動方法は、マトリックス状に配置されてビデオ信号を表示する液晶セルを含む液晶表示素子、前記ビデオ信号の極性パターンを発生し前記極性パターンを複数の出力チャンネルを通じて前記液晶セルに供給する複数のデータ駆動回路、および前記データ駆動回路を制御するタイミング制御部を備えた液晶表示装置の駆動方法において、前記極性パターンの繰返し周期と前記データ駆動回路各々の出力チャンネル数を基にする極性信号を発生する段階と、前記タイミング制御部に内蔵された極性制御部を利用して前記出力チャンネル数によって前記極性信号を制御して前記極性信号により前記ビデオ信号の前記極性パターンを発生する段階とを含む。
【００３３】
さらに、本発明による液晶表示装置の駆動方法は、マトリックス状に配置されてビデオ信号を表示する液晶セルを含む液晶表示素子、前記ビデオ信号の極性パターンを発生し前記極性パターンを複数の出力チャンネルを通じて前記液晶セルに供給する複数のデータ駆動回路を備えている液晶表示装置の駆動方法において、前記出力チャンネル数および前記極性パターンの繰返し周期を基にして極性信号を発生する段階と、第１論理信号および第１論理信号と異なる第２論理信号のうちいずれか一つを発生する段階と、前記データ駆動回路各々に含まれた極性制御部を利用して前記出力チャンネル数によって前記極性信号を前記第１および第２論理信号により制御する段階と、前記極性制御部から供給される前記極性信号によって前記極性パターンを発生する段階とを含む。
【発明の効果】
【００３４】
本発明は、データ駆動集積回路の出力チャンネル数による画素信号極性パターンの繰返し周期を均一にすることができ、その結果、隣接したデータ駆動集積回路間の境部で発生する画素信号の極性パターンの不均一による画質の不良を防止することができる。
【発明を実施するための最良の形態】
【００３５】
以下、図６〜図１６を参照して本発明の望ましい実施の形態について説明する。
図６を参照すると、本発明の第１の実施の形態による液晶表示装置の駆動装置は、画素信号の極性パターンによって画像を表示する液晶パネル１０６と、該液晶パネル１０６のデータラインを駆動させるためのデータ駆動集積回路(Drive Integrated Circuit：以下、“Ｄ−ＩＣ”という)１１０が実装されたデータＴＣＰ(Tape Carrier Package)１０８と、液晶パネル１０６のゲートラインを駆動させるためのゲートＤ−ＩＣ１１２が実装されたゲートＴＣＰ１０４と、データＤ−ＩＣ１１０およびゲートＤ−ＩＣ１１２の駆動を制御すると共に、データＤ−ＩＣ１１０の出力チャンネル数と液晶チャンネル１０６に表示される画素信号の極性パターンを基にして極性信号ＰＯＬを可変してデータＤ−ＩＣ１１０に供給するタイミング制御部１３０を備える。
【００３６】
液晶チャンネル１０６は、上部基板１０５と下部基板１０３との間に充填された液晶層と、上部基板１０５と下部基板１０３との間の間隔を一定に維持するためのスペーサーを備える。このような液晶パネル１０６の上部基板１０５には、カラーフィルター、共通電極、ブラックマトリックスなどが形成される。この際、共通電極は、液晶パネル１０６の液晶層モードによって下部基板１０３に形成されることができる。また、液晶パネル１０６の下部基板１０３には、ゲートラインとデータラインの交差部毎に形成された薄膜トランジスターと、該薄膜トランジスターに接続された液晶セルを備える。薄膜トランジスターのゲート電極は、水平ラインのゲートラインのうちいずれか一つと接続され、ソース電極は垂直ラインのデータラインのうちいずれか一つと接続される。
【００３７】
このような薄膜トランジスターは、ゲートラインからのスキャン信号に応答してデータラインからの画素信号を液晶セルに供給する。液晶セルは、薄膜トランジスターのドレイン電極と接続された画素電極と、該画素電極と液晶層を間に置き対向する共通電極を備える。このような液晶セルは、画素電極に供給される画素信号に応答して液晶層を駆動することにより光透過率を調節するようになる。
【００３８】
このような液晶パネル１０６上の液晶セルを駆動するために、フレームインバージョン方式(Frame Inversion System)、ラインインバージョン方式(Line Inversion System)およびドットインバージョン方式(Dot Inversion System)のようなインバージョン駆動方法が用いられる。フレームインバージョン方式の駆動方法は、フレームが変更されるとき毎に液晶パネル１０６上の液晶セルに供給される画素信号の極性を反転させる。ラインインバージョン方式の駆動方法では、液晶パネル１０６上のライン(コラム)によって液晶セルに供給される画素信号の極性を反転させる。ドットインバージョン方式は、液晶パネル１０６上の液晶セル各々に垂直および水平方向側で隣接する液晶セルに供給される画素信号の極性と相反する極性の画素電圧信号が供給すると共に、フレーム毎に液晶パネル１０６上の全ての液晶セルに供給される画素信号の極性を反転するようにする。このようなインバージョン駆動方法のうちドットインバージョン方式は、フレームおよびラインインバージョン方式に比べて優れた画質の画像を提供する。
【００３９】
通常、液晶表示装置は、６０Ｈｚのフレーム周波数により駆動されるのが一般的である。しかし、ノートブックコンプューターのように低消費電力を必要とするシステムではフレーム周波数を５０〜３０Ｈｚに低めるのが要求される。フレーム周波数が低まるに従ってインバージョン方式のうち優れた画質を提供するドットインバージョン方式でもグリニッシュ現象が発生するようになることにより水平２ドットインバージョン方式およびスクエア(SquＡre)インバージョン方式の駆動方法が提案されるようになった。
【００４０】
水平２ドットインバージョン方式は、画素信号の極性が垂直方向には１ドット単位で替わる反面、水平方向には２ドット単位で替わるように駆動されると共に、フレーム毎に液晶パネル１０６上の全ての液晶セルに供給される画素信号の極性が反転する。スクエアインバージョン方式は、画素信号の極性が垂直方向には２ドット単位で替わり水平方向もまた２ドット単位で替わるように駆動されると共に、フレーム毎に液晶パネル１０６上の全ての液晶セルに供給される画素信号の極性が反転される。
【００４１】
このようなインバージョン方式のうち１ドットインバージョン方式の場合、液晶セルに供給される水平方向への画素信号の極性は２液晶セル単位で繰り返られる。反面、水平２ドットインバージョン方式の場合、液晶セルに供給される画素信号の極性は水平方向へ４液晶セル単位で繰り返えられ、スクエアインバージョン方式の場合、液晶セルに供給される画素信号の極性は垂直および水平方向へ４液晶セル単位で繰り返られる。
【００４２】
タイミング制御部１３０は、ゲートＤ−ＩＣ１０４を制御するゲート制御信号(ＧＳＰ，ＧＳＣ，ＧＯＥ信号など)を発生し、データＤ−ＩＣ１１０を制御するデータ制御信号(ＳＳＰ，ＳＳＣ，ＳＯＥ，ＰＯＬ信号など)を発生する。このようなタイミング制御部１３０は、システムから供給されるデータ信号を液晶パネル１０６の駆動に適合するように整列して複数のデータＤ−ＩＣ１１０に供給する。
【００４３】
また、タイミング制御部１３０は、図７に図示されるように、データＤ−ＩＣ１１０の出力チャンネル数と液晶パネル１０６に表示される画素信号の極性パターンを基にして極性信号ＰＯＬを可変してデータＤ−ＩＣ１１０に供給する極性制御部１４０を備える。
【００４４】
このようなタイミング制御部１３０は、データ印刷回路基板１２０上に実装される。データ印刷回路基板１２０は、ユーザーコネクターを通じて外部のシステムに接続される。このようなデータ印刷回路基板１２０上には、タイミング制御部１３０からの各種制御信号およびデータ信号をデータＤ−ＩＣ１１０およびゲートＤ−ＩＣ１１２各々に供給するための各種信号配線が形成される。
【００４５】
ゲートＤ−ＩＣ１１２の各々はゲートＴＣＰ１０４の各々に実装される。ゲートＴＣＰ１０４に実装されたゲートＤ−ＩＣ１１２は、ゲートＴＣＰ１０４を通じて液晶パネル１０６のゲートパッドと電気的に接続される。このようなゲートＤ−ＩＣ１１２は、液晶パネル１０６のゲートラインを１水平期間１Ｈ単位で順次駆動するようになる。この際、ゲートＴＣＰ１０４は、ゲート印刷回路基板１２６に接続される。ゲート印刷回路基板１２６は、データ印刷回路基板１２０を経由してタイミング制御部１３０から供給されるゲート制御信号をゲートＴＣＰ１０４を通じてゲートＤ−ＩＣ１１２に供給するようになる。
【００４６】
タイミング制御部１３０に含まれた極性制御部１４０は、入力される画素信号の極性パターンＤｏｔと、データＤ−ＩＣ１１０の出力チャンネル数を基にしてタイミング制御部１３０の極性信号ＰＯＬをデコーディングするデコーダー１４２と、該デコーダー１４２からの極性信号ＰＯＬをそのまま出力すると共に反転させてデータＤ−ＩＣ１１０の各々に供給する極性分配器１４４を備える。
【００４７】
このため、デコーダー１４２は、極性信号ＰＯＬが供給される極性信号入力端子と、液晶パネル１０６のインバージョン方式によってハイ(High)状態またはロー(Low)状態の第１選択信号Ｄｏｔが入力される極性パターン入力端子と、データＤ−ＩＣ１１０の出力チャンネル数に対応する第２選択信号Ｃｈｓｅｌが入力されるチャンネル選択入力端子とを備え、第１選択信号Ｄｏｔと第２選択信号Ｃｈｓｅｌに応答して極性信号入力端子からの極性信号ＰＯＬを極性分配器１４４に伝達するようになる。この際、極性分配器１４４は、第１選択信号Ｄｏｔと第２選択信号Ｃｈｓｅｌに応答して極性信号入力端子からの極性信号ＰＯＬを反転させて出力する第１および第２出力端子を備える。
【００４８】
第１および第２選択信号Ｄｏｔ，Ｃｈｓｅｌの各々は、システムエンジニアからセッティングされてデータ印刷回路基板１２０を経由して供給される。
極性分配器１４４の第１出力端子は、複数のデータＤ−ＩＣ１１０のうち奇数番目ＯｄｄデータＤ−ＩＣ１１０に接続され、第２出力端子は複数のデータＤ−ＩＣ１１０のうち偶数番目ＥｖｅｎデータＤ−ＩＣ１１０に接続される。
【００４９】
第１選択信号Ｄｏｔは、図８に図示されるように、液晶チャンネル１０６の駆動方式が１ドットインバージョンである場合にロー状態になり、水平２ドットまたはスクエアインバージョンである場合にハイ状態になる。第２選択信号Ｃｈｓｅｌは、データＤ−ＩＣ１１０の出力チャンネル数が２の倍数である場合にロー状態になり、４の倍数である場合にハイ状態になる。
【００５０】
これによって、デコーダー１４２は、極性パターン入力端子に入力されるハイ状態の第１選択信号Ｄｏｔとチャンネル選択入力端子に入力されるロー状態の第２選択信号Ｃｈｓｅｌである場合に、極性信号入力端子からの極性信号ＰＯＬを極性分配器１４４の第１出力端子に接続された奇数番目データＤ−ＩＣ１１０に供給すると共に、極性信号ＰＯＬを反転させて極性分配器１４４の第２出力端子に接続された偶数番目データＤ−ＩＣ１１０に供給する。反面、デコーダー１４２は、入力されるハイ状態の第１選択信号Ｄｏｔとロー状態の第２選択信号Ｃｈｓｅｌを除いては極性信号入力端子からの極性信号ＰＯＬを極性分配器１４４の第１出力端子と第２出力端子の各々を通じてデータＤ−ＩＣ１１０の各々に供給する。
【００５１】
このようなデコーダー１４２と極性分配器１４４は、第１選択信号Ｄｏｔと第２選択信号Ｃｈｓｅｌによってタイミング制御部１３０から入力される極性信号ＰＯＬを切り換えて奇数番目データＤ−ＩＣ１１０と偶数番目データＤ−ＩＣ１１０の各々に供給する。結果的に、デコーダー１４２と極性分配器１４４は、データＤ−ＩＣ１１０の出力チャンネル数と液晶パネル１０６のインバージョン駆動方式により反転される画素信号の極性繰返し周期をマッチングさせるようになる。従って、デコーダー１４２と極性分配器１４４は、隣接したデータＤ−ＩＣ１１０に供給される極性信号ＰＯＬを反転させることにより、奇数番目データＤ−ＩＣ１１０と偶数番目データＤ−ＩＣ１１０の隣接領域の液晶セルの極性を調整して画質の不良を防止するようになる。ここで、デコーダー１４２と極性分配器１４４は、回路の集積度および極性制御のために統合されて極性制御部１４０に集積することができる。
【００５２】
データＤ−ＩＣ１１０の各々は、データＴＣＰ１０８の各々に実装される。データＴＣＰ１０８に実装されたデータＤ−ＩＣ１１０は、データＴＣＰ１０８を通じて液晶パネル１０６のデータパッドと電気的に接続される。このようなデータＤ−ＩＣ１１０は、デジタル画素データをアナログ画素信号に変換して１水平期間１Ｈ単位で液晶パネル１０６のデータラインに供給する。
【００５３】
このため、データＤ−ＩＣ１１０の各々は、図９に図示されるように、サンプリング信号を順次供給するシフトレジスター部１５４と、サンプリング信号に応答してデジタルデータＤａｔａを順次ラッチして同時に出力するラッチ部１５６と、該ラッチ部１５６からのデジタルデータＤａｔａを画素信号Ａｄａｔａに切り換えるデジタル−アナログ切換部(以下、狽cＡＣ部“という)１５８と、ＤＡＣ部１５８からの画素信号Ａｄａｔａをバッファリングして出力する出力バッファー部１６６を備える。
【００５４】
また、データＤ−ＩＣ１１０の各々は、タイミング制御部１３０から供給されるデータ制御信号(ＳＳＰ，ＳＳＣ，ＳＯＥ，ＲＥＶ，ＰＯＬなど)とデジタルデータＤａｔａを仲介する信号制御部１５０と、ＤＡＣ部１５８で必要とする正極性および負極性ガンマ電圧を供給するガンマ電圧部１５２を備える。このような構成を有するデータＤ−ＩＣ１１０の各々は、ｎ個ずつのデータラインＤＬ１〜ＤＬｎを駆動する。
【００５５】
信号制御部１５０は、タイミング制御部１３０からの各種データ制御信号(ＳＳＰ，ＳＳＣ，ＳＯＥ，ＲＥＶなど)およびデコーダー１４２から切り換えられて供給される極性信号ＰＯＬおよびデジタルデータＤａｔａが該当構成要素へ出力されるように制御する。
【００５６】
ガンマ電圧部１５２は、基準ガンマ電圧発生部(図示せず)から入力される複数個の基準ガンマ電圧を細分化して出力する。
【００５７】
シフトレジスター部１５４に含まれたｎ個のシフトレジスターは、信号制御部１５０からのソーススタートパルスＳＳＰをソースサンプリングクロック信号ＳＳＣによって順次シフトさせてサンプリング信号として出力する。
【００５８】
ラッチ部１５６は、シフトレジスター部１５４からのサンプリング信号に応答して信号制御部１５０からのデジタルデータＤａｔａを一定単位ずつ順次サンプリングしてラッチするようになる。このため、ラッチ部１５６は、ｎ個のデジタルデータＤａｔａをラッチするためにｎ個のラッチで構成され、そのラッチの各々は、デジタルデータＤａｔａのビット数(３ビットまたは６ビット)に対応する大きさを有する。特に、タイミング制御部１３０は、伝送周波数を減らすためにデジタルデータＤａｔａをイーブンデータとオッドデータに分けて各々の伝送ラインを通じて同時に出力するようになる。ここで、イーブンデータとオッドデータの各々は、赤Ｒ，緑Ｇ，青Ｂデータを含む。これによって、ラッチ部１５６は、サンプリング信号毎に信号制御部１５０を経由して供給されるイーブンデータとオッドデータ、即ち、６個のデジタルデータＤａｔａを同時にラッチするようになる。
【００５９】
次に、ラッチ部１５６は、信号制御部１５０からのソース出力イネーブル信号ＳＯＥに応答してラッチされたｎ個のデータＤａｔａを同時に出力する。この場合、ラッチ部１５６は、データ反転選択信号ＲＥＶに応答してトランジッションビット数が減るように変調されたデジタルデータＤａｔａを復元させて出力するようになる。これは、タイミング制御部１３０でデータ伝送時に電磁気的干渉ＥＭＩを最小化するためにトランジッションされるビット数が基準値を越えるデジタルデータＤａｔａはトランジッションビット数が減るように変調して供給するためである。
【００６０】
ＤＡＣ部１５８は、ラッチ部１５６からのデジタルデータＤａｔａを同時に正極性および負極性の画素信号Ａｄａｔａに切り換えて出力するようになる。このため、ＤＡＣ部１５８は、ラッチ部１５６に共通接続されたＰ(Positive)デコーディング部１６２と、Ｐデコーディング部１６０およびＮデコーディング部１６２の出力信号を選択するためのマルチプレクサーＭＵＸ１６４を備える。
【００６１】
Ｐデコーディング部１６０に含まれるｎ個のＰデコーダーは、ラッチ部１５６から同時に入力されるｎ個のデータＤａｔａをガンマ電圧部１５２からの正極性ガンマ電圧を利用して正極性画素信号Ａｄａｔａに切り換えるようになる。Ｎデコーディング部１６２に含まれるｎ個のＮデコーダーは、ラッチ部１５６から同時に入力されるｎ個のデータＤａｔａをガンマ電圧部１５２からの負極性ガンマ電圧を利用して負極性画素信号Ａｄａｔａに切り換えるようになる。マルチプレクサー部１６４に含まれるｎ個のマルチプレクサーは、信号制御部１５０を経由してデコーダー１４２からの極性信号ＰＯＬに応答してＰデコーダー１２０からの正極性画素信号ＡｄａｔａまたはＮデコーダー１６２からの負極性画素信号Ａｄａｔａを選択して出力するようになる。
【００６２】
出力バッファー部１６６に含まれるｎ個の出力バッファーは、ｎ個のデータラインＤ１〜Ｄｎに直列に各々接続された電圧フォロア(Voltage follower)などで構成される。このような出力バッファーは、ＤＡＣ部１５８からの画素信号ＡｄａｔａをバッファリングしてデータラインＤＬ１〜ＤＬｎに供給する。
【００６３】
このような本発明の第１の実施の形態による液晶表示装置の駆動装置は、タイミング制御部１３０から出力されるデジタルデータＤａｔａをガンマ電圧部１５２から正極性および負極性ガンマ電圧が供給されるデータＤ−ＩＣ１１０のＤＡＣ部１５８を利用してインバージョン方式による極性パターンを有する画素信号Ａｄａｔａに切り換えて液晶パネル１０６に供給して液晶パネル１０６に望む画像を表示するようになる。
【００６４】
このような本発明の第１の実施の形態による液晶表示装置の駆動装置および駆動方法は、タイミング制御部１３０に含まれた極性制御部１４０を利用して画素信号の極性パターンの繰返し周期とデータＤ−ＩＣ１１０の出力チャンネル数がマッチングされるように隣接したデータＤ−ＩＣ１１０間に供給される極性信号ＰＯＬを反転させることにより隣接したデータＤ−ＩＣ１１０間の境部での画質不良を防止するようになる。
【００６５】
具体的に、先ず、２倍数の出力チャンネルを有するデータＤ−ＩＣ１１０を利用して液晶チャンネル１０６を１ドットインバージョン方式で駆動する場合に、極性制御部１４０は、図８に図示されるように、極性信号ＰＯＬを奇数番目データＤ−ＩＣ１１０に供給すると共に偶数番目データＤ−ＩＣ１１０に供給する。これによって、本発明の第１の実施の形態による液晶表示装置の駆動装置および駆動方法は、隣接したデータＤ−ＩＣ１１０間の境部、即ち、奇数番目データＤ−ＩＣ１１０の最後出力チャンネルと偶数番目データＤ−ＩＣ１１０の１番目出力チャンネル各々から液晶パネル１０６に供給される画素信号の極性が反転されるようになる。
【００６６】
従って、２倍数の出力チャンネルを有するデータＤ−ＩＣ１１０を利用して液晶パネル１０６を１ドットインバージョン方式で駆動する本発明の第１の実施の形態による液晶表示装置の駆動方法および駆動方法は、データＤ−ＩＣ１１０の出力チャンネル数による画素信号極性パターンの繰返し周期を１ドット単位で均一にすることにより画素信号の極性パターンの不均一による画質不良を防止することができる。
【００６７】
また、４倍数の出力チャンネルを有するデータＤ−ＩＣ１１０を利用して液晶パネル１０６を１ドットインバージョン方式で駆動する場合に極性制御部１４０は、図８に図示されるように、タイミング制御部１３０から発生する極性信号ＰＯＬを奇数番目データＤ−ＩＣ１１０に供給すると共に偶数番目データＤ−ＩＣ１１０に供給する。これによって、本発明の第１の実施の形態による液晶表示装置の駆動装置および駆動方法は、隣接したデータＤ−ＩＣ１１０間の境部、即ち、奇数番目データＤ−ＩＣ１１０の最後出力チャンネルと偶数番目データＤ−ＩＣ１１０の１番目出力チャンネル各々から液晶パネル１０６に供給される画素信号の極性が反転されるようになる。
【００６８】
従って、４倍数の出力チャンネルを有するデータＤ−ＩＣ１１０を利用して液晶パネル１０６を１ドットインバージョン方式で駆動する本発明の第１の実施の形態による液晶表示装置の駆動装置および駆動方法は、データＤ−ＩＣ１１０の出力チャンネル数による画素信号極性パターンの繰返し周期を１ドット単位で均一にすることにより画素信号の極性パターンの不均一による画質不良を防止することができる。
【００６９】
他方、４倍数の出力チャンネルを有するデータＤ−ＩＣ１１０を利用して液晶パネル１０６を水平２ドットインバージョン方式で駆動する場合に、極性制御部１４０は、図８に図示されるように、タイミング制御部１３０から発生する極性信号ＰＯＬを奇数番目データＤ−ＩＣ１１０に供給すると共に偶数番目データＤ−ＩＣ１１０に供給する。これによって、本発明の第１の実施の形態による液晶表示装置の駆動装置および駆動方法は、図１０に図示されるように、隣接したデータＤ−ＩＣ１１０間の境部Ｂ、即ち、奇数番目ＯｄｄデータＤ−ＩＣ１１０の最後出力チャンネルと偶数番目ＥｖｅｎデータＤ−ＩＣ１１０の１番目出力チャンネル各々から液晶パネル１０６に供給される画素信号の極性が反転されるようになる。
【００７０】
従って、４倍数の出力チャンネルを有するデータＤ−ＩＣ１１０を利用して液晶パネル１０６を水平２ドットインバージョン方式で駆動する本発明の第１の実施の形態による液晶表示装置の駆動装置の駆動方法は、データＤ−ＩＣ１１０の出力チャンネル数による画素信号極性パターンの繰返し周期を水平２ドット単位で均一にすることにより画素信号の極性パターンの不均一による画質不良を防止することができる。
【００７１】
一方、２の倍数であるが４の倍数でない出力チャンネルを有するデータＤ−ＩＣ１１０を利用して液晶パネル１０６を水平２ドットインバージョン方式で駆動する場合に、図８に図示されるように、タイミング制御部１３０は、タイミング制御部１３０から発生する極性信号ＰＯＬを内蔵された極性制御部１４０を利用して奇数番目データＤ−ＩＣ１１０供給すると共にタイミング制御部１３０から供給される極性信号ＰＯＬを反転させて反転された極性信号ＰＯＬを偶数番目データＤ−ＩＣ１１０に供給する。これによって、本発明の第１の実施の形態による液晶表示装置の駆動装置および駆動方法は、図１１に図示されるように、隣接したデータＤ−ＩＣ１１０間の境部Ｂ、即ち、奇数番目ＯｄｄデータＤ−ＩＣ１１０の最後の出力チャンネルと偶数番目ＥｖｅｎデータＤ−ＩＣ１１０の１番目出力チャンネル各々から液晶パネル１０６に供給される画素信号の極性が反転されるようになる。
【００７２】
換言すると、水平２ドットインバージョン方式で２の倍数であるが４の倍数でない出力チャンネルを有するデータＤ−ＩＣ１１０を駆動する場合には、タイミング制御部１３０に内蔵された極性制御部１４０から出力される反転された極性信号IＰＯＬを偶数番目データＤ−ＩＣ１１０に供給することにより奇数番目データＤ−ＩＣ１１０と偶数番目データＤ−ＩＣ１１０に供給される極性信号ＰＯＬ、IＰＯＬを反転させるようになる。
【００７３】
従って、２の倍数であるが４の倍数でない出力チャンネルを有するデータＤ−ＩＣ１１０を利用して液晶パネル１０６を水平２ドットインバージョン方式で駆動する本発明の第１の実施の形態による液晶表示装置の駆動装置および駆動方法は、データＤ−ＩＣ１１０の出力チャンネル数による画素信号の極性パターンの繰返し周期を水平２ドット単位で均一にすることにより画素信号の極性パターンの不均一による画質不良を防止することができる。
【００７４】
これによって、本発明の第１の実施の形態による液晶表示装置の駆動装置および駆動方法は、図１１に図示されるように、隣接したデータＤ−ＩＣ１１０間の境部Ｂ、即ち、奇数番目ＯｄｄデータＤ−ＩＣ１１０の最後出力チャンネルと偶数番目ＥｖｅｎデータＤ−ＩＣ１１０の１番目出力チャンネル各々から液晶パネル１０６に供給される画素信号の極性が反転されるようになる。
【００７５】
一方、２の倍数であるが４の倍数でない出力チャンネルを有するデータＤ−ＩＣ１１０を利用して液晶パネル１０６をスクエアインバージョン方式で駆動する場合に極性制御部１４０は、図８に図示されるように、極性信号ＰＯＬを奇数番目データＤ−ＩＣ１１０に供給すると共に極性信号ＰＯＬを反転させ反転された極性信号ＰＯＬを偶数番目データＤ−ＩＣ１１０に供給する。これによって、本発明の第１の実施の形態による液晶表示装置の駆動装置および駆動方法は、図１２に図示されるように、隣接したデータＤ−ＩＣ１１０間の境部Ｂ、即ち、奇数番目データＤ−ＩＣ１１０の最後出力チャンネルと偶数番目データＤ−ＩＣ１１０の１番目出力チャンネル各々から液晶パネル１０６に供給される画素信号の極性が反転されるようになる。
【００７６】
従って、２の倍数であるが４の倍数でない出力チャンネルを有するデータＤ−ＩＣ１１０を利用して液晶パネル１０６をスクエアインバージョン方式で駆動する本発明の第１の実施の形態による液晶表示装置の駆動装置および駆動方法は、データＤ−ＩＣ１１０の出力チャンネル数による画素信号極性パターンの繰返し周期をスクエアインバージョン方式で均一にすることにより画素信号の極性パターンの不均一による画質不良を防止することができる。
【００７７】
図１３を参照すると、本発明の第２の実施の形態による液晶表示装置の駆動装置は、本発明の第１の実施の形態におけるデコーダー１４２と極性分配器１４４が統合されると共に外部から供給される制御信号を受けるピンＰＩＮ、即ち、極性信号ＰＯＬ、チャンネル選択信号ＣＨＳＥＬおよびドット方式信号ＤＯＴ１の外にチップ識別子ＣＩＤが設置された極性制御部２４０が複数のデータＤ−ＩＣ２１０各々に内蔵される。これによって、本発明の第２の実施の形態による液晶表示装置の駆動装置では、極性制御部２４０を内蔵したデータＤ−ＩＣ２１０と複数のＤ−ＩＣ２１０のチップ識別子ＣＩＤに互いに異なる論理信号１，０を供給する二つの論理信号生成部２２２が設置されることを除いた別の構成についての説明は、本発明の第１の実施の形態による液晶表示装置の駆動装置についての説明で代わることにする。
【００７８】
極性制御部２１０は、図１４を参照すると、データＤ−ＩＣ２１０各々に内蔵される。複数のデータＤ−ＩＣ２１０各々に内蔵された極性制御部２４０には、論理信号生成部２２２論理信号(例えば、１または０)が供給される。また、極性制御部２４０各々には、極性信号ＰＯＬおよびデータ印刷回路基板１２０を経由して液晶パネル１０６のインバージョン方式によってハイ状態またはロー状態の第１選択信号Ｄｏｔと、データＤ−ＩＣ２１０の出力チャンネル数に対応する第２選択信号Ｃｈｓｅｌが入力される。この際、各々のデータＤ−ＩＣ２１０に内蔵された極性制御部２４０は、第１および第２選択信号Ｄｏｔ、Ｃｈｓｅｌを基にして論理信号生成部２２２から供給される論理信号１，０による極性信号ＰＯＬを生成するようになる。このような極性信号ＰＯＬは、データＤ−ＩＣ２１０の極性を決定するようになる。
【００７９】
具体的に説明すると、奇数番目データＤ−ＩＣ２１０各々には論理信号生成部２２２から第１論理信号がチップ識別子ＣＩＤに入力され、偶数番目データＤ−ＩＣ２１０各々には信号供給線２２２から第２論理信号１がチップ識別子ＣＩＤに供給される。ここで、チップ識別子ＣＩＤを通じて第１論理信号０を入力受けた奇数番目データＤ−ＩＣ２１０に内蔵された極性制御部２４０は、チップ識別子ＣＩＤ＝０による極性信号を生成してデータＤ−ＩＣ２１０の極性ＰＯＬを決定する。一方、チップ識別子ＣＩＤを通じて第２論理信号１を受けた偶数番目データＤ−ＩＣ２１０に内蔵された極性制御部２４０は、チップ識別子ＣＩＤ＝１による反転された極性信号を生成してデータＤ−ＩＣ２１０の反転された極性IＰＯＬを決定するようになる。
【００８０】
このような本発明の第２の実施の形態による液晶表示装置の駆動装置および駆動方法は、データＤ−ＩＣ２１０に内蔵された極性制御部２４０とチップ識別子ＣＩＤを利用して画素信号の極性パターンの繰返し周期とデータＤ−ＩＣの出力チャンネル数がマッチングされるように隣接したデータＤ−ＩＣ２１０間に供給される極性信号ＰＯＬを反転させることにより隣接したデータＤ−ＩＣ２１０間の境部での画質不良を防止するようになる。
【００８１】
具体的に、本発明の第２の実施の形態による液晶表示装置の駆動装置および駆動方法は、説明した通り、液晶パネル１０６を１ドットインバージョン方式および４の倍数になるチャンネルを有する液晶パネル１０６を水平２ドットインバージョン方式で駆動する場合にはチップ識別子ＣＩＤに供給される論理信号を同一の論理信号を供給することにより、隣接したデータＤ−ＩＣ２１０間の極性信号ＰＯＬを反転させないようになる。従って、データＤ−ＩＣ２１０の出力チャンネル数に関わらず画素信号の極性パターンの繰返し周期を均一にすることにより、画素信号の極性パターンの不均一による画質不良を防止することができる。
【００８２】
一方、２倍数であるが４倍数にならない出力チャンネル(例えば、１４チャンネル)を有するデータＤ−ＩＣ２１０を利用して液晶パネル１０６を水平２ドットインバージョン方式で駆動する場合に、奇数番目データＤ−ＩＣ２１０に内蔵された極性制御部２４０は、図１６に図示されるようにである。即ち、奇数番目データＤ−ＩＣ２１０は内蔵された極性制御部２４０のチップ識別子ＣＩＤに入力される第１論理信号０と、極性信号ＰＯＬ、チャンネル選択信号ＣＨＳＥＬおよびドット方式信号DOTを基にして極性ＰＯＬを有するようになる。一方、偶数番目データＤ−ＩＣ２１０は内蔵された極性制御部２１０のチップ識別子ＣＩＤに入力される第２論理信号１と、極性信号ＰＯＬと、チャンネル選択信号ＣＨＳＥＬおよびドット方式信号DOTIを基にして反転された極性IＰＯＬを有するようになる。
【００８３】
これによって、本発明の第２の実施の形態による液晶表示装置の駆動装置および駆動方法は、隣接したデータＤ−ＩＣ２１０間の境部Ｃ、即ち、奇数番目データＤ−ＩＣ２１０の最後出力チャンネルと偶数番目データＤ−ＩＣ２１０の１番目出力チャンネル各々から液晶チャンネル１０６に供給される画素信号の極性が反転されるようになる。換言すると、水平２ドットインバージョン方式で２倍数を有するが４倍数にならない出力チャンネルを有するデータＤ−ＩＣ２１０を駆動する場合には、奇数番目データＤ−ＩＣ２１０は極性信号ＰＯＬを有し、偶数番目データＤ−ＩＣ２１０は反転された極性信号IＰＯＬを有するようになる。また、４の倍数でないチャンネルを有する液晶パネル１０６をスクエアドット方式で駆動する方法でも、図１７に図示されるように、奇数番目データＤ−ＩＣ２１０には、論理信号“０”を入力し、偶数番目データＤ−ＩＣ２１０には論理信号“１”を入力することにより極性を反転させる。これによって、奇数番目の最後二つのチャンネルと偶数番目の始め二つのチャンネルとの間の極性が各々交番されるようになる。
【００８４】
前述の通り、本発明の実施の形態による液晶表示装置の駆動装置および駆動方法は、データ駆動集積回路の出力チャンネル数と液晶チャンネルに表示される画素信号の極性パターンを基にして極性信号を可変してデータ駆動集積回路に供給するデコーダーを内蔵したタイミング制御部およびデータＤ−ＩＣを備える。これによって、本発明は、データ駆動集積回路の出力チャンネル数による画素信号の極性パターンの繰返し周期を均一にすることができる。従って、本発明は隣接したデータ駆動集積回路間の境部で発生する画素信号の極性パターンの不均一による画質不良を防止することができる。
【００８５】
以上で説明した内容により当業者であれば、本発明の技術思想を脱しない範囲内で多様な変更および修正が可能であるのが分かるであろう。従って、本発明の技術的範囲は、明細書の詳細な説明に記載された内容に限定されるのでなく、特許請求の範囲により定められるべきであろう。
【図面の簡単な説明】
【００８６】
【図１】従来の液晶表示装置の駆動装置を示した図面である。
【図２】図１に図示された液晶パネルが１ドットインバージョン方式で駆動されるのを示した図面である。
【図３】図１に図示された４の倍数の出力チャンネルを有する隣接したデータ集積回路を２ドットインバージョン方式の極性パターンで駆動するのを示した図面である。
【図４】図１に図示された２の倍数の出力チャンネルを有する隣接したデータ集積回路を２ドットインバージョン方式の極性パターンで駆動するのを示した図面である。
【図５】図１に図示された２の倍数の出力チャンネルを有する隣接したデータ集積回路をスクエアインバージョン方式の極性パターンで駆動するのを示した図面である。
【図６】本発明の第１の実施の形態による液晶表示装置の駆動装置を示した図面である。
【図７】図６に図示されたタイミング制御部を示した図面である。
【図８】図７に図示されたデコーダーに入力される入力信号により出力される極性信号を示した図面である。
【図９】図６に図示されたデータ駆動集積回路を示したブロック図である。
【図１０】図６に図示された４の倍数の出力チャンネルを有する隣接したデータ集積回路間に出力される２ドットインバージョン方式の極性パターンを示した図面である。
【図１１】図６に図示された２の倍数であるが４の倍数でない出力チャンネルを有する隣接したデータ集積回路間に出力される２ドットインバージョン方式の極性パターンを示した図面である。
【図１２】図６に図示された２の倍数であるが４の倍数でない出力チャンネルを有する隣接したデータ集積回路間に出力されるスクエアインバージョン方式の極性パターンを示した図面である。
【図１３】本発明の第２の実施の形態による液晶表示装置の駆動装置を示した図面である。
【図１４】図１３の“Ａ”を拡大した図面である。
【図１５】図１３に図示された２の倍数であるが４の倍数でない出力チャンネルを有する隣接したデータ集積回路間に出力される２ドットインバージョン方式の極性パターンを示した図面である。
【図１６】図１３に図示された２の倍数であるが４の倍数でない出力チャンネルを有する隣接したデータ集積回路間に出力されるスクエアインバージョン方式の極性パターンを示した図面である。
【符号の説明】
【００８７】
３，１０３：下部基板、４，１０４：ゲートＴＣＰ、  ５，１０５：上部基板、６，１０６：液晶パネル、８，１０８，２０８：データＴＣＰ、１０，１１０，２１０：データＤ−ＩＣ、１２，１１２，：ゲートＤ−ＩＣ、２０，１２０：データ印刷回路基板、２６，１２６，：ゲート印刷回路基板、３０，１３０：タイミング制御部、１４０，２４０：極性制御部。
【図１】
2005338858.tif 000003
【図２】
2005338858.tif 000004
【図３】
2005338858.tif 000005
【図４】
2005338858.tif 000006
【図５】
2005338858.tif 000007
【図６】
2005338858.tif 000008
【図７】
2005338858.tif 000009
【図８】
2005338858.tif 000010
【図９】
2005338858.tif 000011
【図１０】
2005338858.tif 000012
【図１１】
2005338858.tif 000013
【図１２】
2005338858.tif 000014
【図１３】
2005338858.tif 000015
【図１４】
2005338858.tif 000016
【図１５】
2005338858.tif 000017
【図１６】
2005338858.tif 000018